【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
通信システムにおいてユーザ装置ノード（ＵＥ）（１１０）によって実行される測定を制御するためにネットワークノード（１３０）を動作させる方法であって、
前記ＵＥ（１１０）をＣＥＬＬ＿ＦＡＣＨステートへと切り替えさせるコマンドを通信すること（６０２）、
前記ＵＥ（１１０）が測定報告を生成するために前記ＣＥＬＬ＿ＦＡＣＨステートで動作している一方で、前記ＵＥ（１１０）によって実行されることになる測定を設定する測定設定メッセージを当該ＵＥ（１１０）に対して通信すること（２０２，  ４０２，  ６０４）であって、前記測定報告を生成するために前記測定設定メッセージによって定義された前記測定の実行を開始するよう前記ＵＥ（１１０）に対する明示的なインジケーションとして前記測定設定メッセージを通信すること（４０２）、
前記ＵＥ（１１０）から前記測定報告を受信すること（２０６，  ４０４，  ６０６）、
を含み、
前記測定設定メッセージは、前記ＵＥ（１１０）が前記明示的なインジケーションを受信したときに前記測定報告を前記ネットワークノード（１３０）に対して通信するよう前記ＵＥ（１１０）をトリガーすることを特徴とする方法。
【請求項２】
前記測定設定メッセージは、無線リソース制御（ＲＲＣ）リコンフィギュレーションメッセージによって前記ＵＥ（１１０）に対して通信されること（２０２，  ４０２，  ６０４）を特徴とする請求項１に記載の方法。
【請求項３】
前記明示的なインジケーションは、測定制御メッセージによって前記ＵＥ（１１０）に対して通信されること（２０４）を特徴とする請求項１に記載の方法。
【請求項４】
前記明示的なインジケーションは、セル変更命令によって前記ＵＥ（１１０）に対して通信されること（２０４）を特徴とする請求項１に記載の方法。
【請求項５】
前記測定設定メッセージは、前記ＵＥ（１１０）によって実行される測定であって、
アクティブセットと同一の周波数であるダウンンリンク（ＤＬ）物理チャネルについてのイントラ周波数測定と、
前記アクティブセットの前記周波数とは異なる周波数のＤＬ物理チャネルについてのインター周波数測定と、
他の無線アクセスシステムに属するＤＬ物理チャネルについてのインターシステム測定と、
アップリンク（ＵＬ）トラフィック量についてのトラフィック量測定と、
ＤＬトランスポートブロックのエラーレートと、
ＵＥ送信電力と、
ＵＥ受信信号レベルと
のうち１つまたは複数の種類の測定を特定することを特徴とする請求項１ないし４のいずれか１項に記載の方法。
【請求項６】
通信システムにおいてユーザ装置ノード（ＵＥ）（１１０）によって実行される測定を制御するネットワークノード（１３０）であって、前記ネットワークノード（１３０）は、
前記ＵＥ（１１０）をＣＥＬＬ＿ＦＡＣＨステートへと切り替えさせるコマンドを通信し、
前記ＵＥ（１１０）が測定報告を生成するために前記ＣＥＬＬ＿ＦＡＣＨステートで動作している一方で、前記ＵＥ（１１０）によって実行されることになる測定を設定する測定設定メッセージを当該ＵＥ（１１０）に対して通信すべく、前記測定報告を生成するために前記測定設定メッセージによって定義された前記測定の実行を開始するよう前記ＵＥ（１１０）に対する明示的なインジケーションとして前記測定設定メッセージを通信し、
前記ＵＥ（１１０）から前記測定報告を受信する
ように構成されており、
を含み、
前記測定設定メッセージは、前記ＵＥ（１１０）が前記明示的なインジケーションを受信したときに前記測定報告を前記ネットワークノード（１３０）に対して通信するよう前記ＵＥ（１１０）をトリガーすることを特徴とするネットワークノード。
【請求項７】
通信システムにおいてユーザ装置ノード（ＵＥ）（１１０）に測定を実行させるために当該ＵＥ（１１０）を動作させる方法であって、
前記ＵＥ（１１０）をＣＥＬＬ＿ＦＡＣＨステートに切り替えるコマンドをネットワークノード（１３０）から受信すること（７０２）、
前記ＵＥ（１１０）が測定報告を生成するために前記ＣＥＬＬ＿ＦＡＣＨステートで動作する一方で、前記ＵＥ（１１０）によって実行される測定を設定する測定設定メッセージを前記ネットワークノード（１３０）から受信すること（３０２，  ５０２，  ７０４）、
前記測定設定メッセージを受信したことに応じて前記測定設定メッセージによって定義された前記測定を実行すること（３０６，  ５０４，  ７０６）、
前記測定に基づいた測定報告を前記ネットワークノード（１３０）へ通信すること（３０８，５０６，７０８）
を含み、前記測定設定メッセージは前記測定報告を生成するために前記測定設定メッセージによって定義された前記測定の実行を開始するよう前記ネットワークノード（１３０）からの明示的なインジケーションとして通信され、前記測定設定メッセージは、前記ＵＥ（１１０）が前記明示的なインジケーションを受信したときに前記測定報告を前記ネットワークノード（１３０）に対して通信するよう前記ＵＥ（１１０）をトリガーするものであることを特徴とする方法。
【請求項８】
前記測定設定メッセージは、無線リソース制御（ＲＲＣ）リコンフィギュレーションメッセージによって受信されること（３０２，  ５０２，  ７０４）を特徴とする請求項７に記載の方法。
【請求項９】
前記明示的なインジケーションは、測定制御メッセージによって受信されること（３０４）を特徴とする請求項７に記載の方法。
【請求項１０】
前記明示的なインジケーションは、セル変更命令によって受信されること（３０４）を特徴とする請求項７に記載の方法。
【請求項１１】
前記測定設定メッセージは、前記ＵＥ（１１０）によって実行される測定であって、
アクティブセットと同一の周波数であるダウンンリンク（ＤＬ）物理チャネルについてのイントラ周波数測定と、
前記アクティブセットの前記周波数とは異なる周波数のＤＬ物理チャネルについてのインター周波数測定と、
他の無線アクセスシステムに属するＤＬ物理チャネルについてのインターシステム測定と、
アップリンク（ＵＬ）トラフィック量についてのトラヒック量測定と、
ＤＬトランスポートブロックのエラーレートと、
ＵＥ送信電力と、
ＵＥ受信信号レベルと
のうち１つまたは複数の種類の測定を特定するものであり、
前記ＵＥ（１１０）は、前記測定設定メッセージによって特定された前記１つまたは複数の種類の測定を実行すること（３０６，  ５０４，  ７０６）を特徴とする請求項７ないし１０のいずれか１項に記載の方法。
【請求項１２】
通信システムにおいて測定を実行するユーザ装置ノード（ＵＥ）（１１０）であって、前記ＵＥは、
前記ＵＥ（１１０）をＣＥＬＬ＿ＦＡＣＨステートに切り替えるコマンドをネットワークノード（１３０）から受信し、
前記ＵＥ（１１０）が測定メッセージを生成するために前記ＣＥＬＬ＿ＦＡＣＨステートで動作する一方で、前記ＵＥ（１１０）によって実行される測定を設定する測定設定メッセージを前記ネットワークノード（１３０）から受信し、
前記測定設定メッセージを受信したことに応じて前記測定設定メッセージによって定義された前記測定を実行し、
前記測定に基づいた測定報告を前記ネットワークノード（１３０）へ通信する
ように構成されており、
前記測定設定メッセージは、前記測定報告を生成するために前記測定設定メッセージによって定義された前記測定の実行を開始するよう前記ネットワークノード（１３０）からの明示的なインジケーションとして通信され、前記測定設定メッセージは、前記ＵＥ（１１０）が前記明示的なインジケーションを受信したときに前記測定報告を前記ネットワークノード（１３０）に対して通信するよう前記ＵＥ（１１０）をトリガーするものであることを特徴とするユーザ装置ノード（ＵＥ）。